(57)【要約】【課題】コルゲートチューブと保持具とを組み付ける作業の作業効率を向上可能なコルゲートチューブ保持具を提供すること。【解決手段】コルゲートチューブ２０を保持するためのコルゲートチューブ保持具１０は、コルゲートチューブ２０の外周面における凹部２１に係合することによってコルゲートチューブ２０を保持する突部１７を備える。突部１７は、突部１７の先端部が凹部２１の底面の一部である被押圧箇所を押圧した状態にて、先端部が底面に接触するように、構成される。突部１７は、コルゲートチューブ２０の軸方向における突部１７の基端部の幅Ｌ１よりも、軸方向における先端部１７ｃの幅Ｌ２が小さい、先細り形状を有すると共に、軸方向の一方側において先端部１７ｃから基端部に向けて延びる突部１７の側面１７ｄが軸方向となす角度αと、軸方向の他方側において先端部１７ｃから基端部に向けて延びる側面１７ｅが軸方向となす角度βと、が相違するように、構成される。【選択図】図６
2020087519.tif 000002
【特許請求の範囲】
【請求項１】
コルゲートチューブを保持するためのコルゲートチューブ保持具であって、
前記コルゲートチューブの外周面における凹部に係合することによって前記コルゲートチューブを保持する突部を備え、
前記突部は、
当該突部の先端部が前記凹部の底面の一部である被押圧箇所を押圧した状態にて、前記先端部が前記底面に接触するように、構成される、
コルゲートチューブ保持具。
【請求項２】
請求項１に記載のコルゲートチューブ保持具において、
前記突部は、
前記コルゲートチューブの軸方向に沿った断面において、前記被押圧箇所の広さが前記底面の広さの２０％以上５０％以下となるように、構成される、
コルゲートチューブ保持具。
【請求項３】
請求項１又は請求項２に記載のコルゲートチューブ保持具において、
前記突部は、
前記コルゲートチューブの軸方向における当該突部の基端部の幅よりも、前記軸方向における前記先端部の幅が小さい、先細り形状を有するとともに、
前記軸方向の一方側において前記先端部から前記基端部に向けて延びる当該突部の側面が前記軸方向となす角度と、前記軸方向の他方側において前記先端部から前記基端部に向けて延びる側面が前記軸方向となす角度と、が相違するように、構成される、
コルゲートチューブ保持具。
【請求項４】
請求項１〜請求項３の何れか一項に記載のコルゲートチューブ保持具において、
前記突部は、
前記コルゲートチューブの前記外周面の周方向における少なくとも一部に前記被押圧箇所が存在するように、構成される、
コルゲートチューブ保持具。
【請求項５】
電線と、前記電線が挿通されるコルゲートチューブと、請求項１〜請求項４の何れか一項に記載のコルゲートチューブ保持具と、を備える、ワイヤハーネスであって、
前記コルゲートチューブ保持具が有する前記突部が前記コルゲートチューブの外周面における凹部に係合することにより、前記コルゲートチューブの軸方向における前記コルゲートチューブの移動が規制される、
ワイヤハーネス。
【発明の詳細な説明】
【技術分野】
【０００１】
本発明は、コルゲートチューブ保持具およびワイヤハーネス、に関する。
【背景技術】
【０００２】
従来から、コルゲートチューブを保持する保持具（以下「カバー」ともいう。）が提案されている。この種の保持具は、一般に、コルゲートチューブの外周面の凹部と保持具の内壁面に設けた凸部とを係合させることにより、コルゲートチューブを保持具から外れないように保持している。
【０００３】
ところで、コルゲートチューブに外力が及んだ場合等において、例えばコルゲートチューブが縮径するように変形することで、保持具からコルゲートチューブが外れる可能性がある。このようなコルゲートチューブの外れ（以下「コルゲートチューブ抜け」という。）は、出来る限り防がれることが望ましい。
【０００４】
例えば、従来の保持具の一つは、コルゲートチューブ抜けを防ぐため、保持具の内壁面からコルゲートチューブに向かって突出する柱状突起を設け、この柱状突起をコルゲートチューブに設けられた係合孔に挿入するようになっている。この柱状突起によってコルゲートチューブの位置ズレが抑制されることで、コルゲートチューブが縮径した場合であってもコルゲートチューブ抜けが抑制されることになる（例えば、特許文献１を参照。）。
【先行技術文献】
【特許文献】
【０００５】
【特許文献１】特開２０１３−２５４５８０号公報
【発明の概要】
【発明が解決しようとする課題】
【０００６】
ところで、上述した従来の保持具では、実際にコルゲートチューブを保持具に組み付ける際、保持具の柱状突起とコルゲートチューブの係合孔とを位置合わせする必要がある。しかし、そのような位置合わせは、コルゲートチューブと保持具との組み付け作業を煩雑にし、その組み付けの作業効率を低下させる原因となり得る。また、上述した従来の保持具では、柱状突起以外の箇所では、コルゲートチューブを周方向に囲むように設けられたカバーリブが、コルゲートチューブの外周面の凹部に押し付けられながら挿入される。このようなカバーリブの押し付けには相応の力を要することから、上記同様、組み付けの作業効率を低下させる原因となり得る。
【０００７】
本発明は、上述した事情に鑑みてなされたものであり、その目的は、コルゲートチューブと保持具との組み付け作業の作業効率を向上可能なコルゲートチューブ保持具、及び、ワイヤハーネス、を提供することにある。
【課題を解決するための手段】
【０００８】
前述した目的を達成するために、本発明に係るコルゲートチューブ保持具およびワイヤハーネスは、下記［１］〜［５］を特徴としている。
［１］
コルゲートチューブを保持するためのコルゲートチューブ保持具であって、
前記コルゲートチューブの外周面における凹部に係合することによって前記コルゲートチューブを保持する突部を備え、
前記突部は、
当該突部の先端部が前記凹部の底面の一部である被押圧箇所を押圧した状態にて、前記先端部が前記底面に接触するように、構成される、
コルゲートチューブ保持具であること。
［２］
上記［１］に記載のコルゲートチューブ保持具において、
前記突部は、
前記コルゲートチューブの軸方向に沿った断面において、前記被押圧箇所の広さが前記底面の広さの２０％以上５０％以下となるように、構成される、
コルゲートチューブ保持具であること。
［３］
上記［１］又は上記［２］に記載のコルゲートチューブ保持具において、
前記突部は、
前記コルゲートチューブの軸方向における当該突部の基端部の幅よりも、前記軸方向における前記先端部の幅が小さい、先細り形状を有するとともに、
前記軸方向の一方側において前記先端部から前記基端部に向けて延びる当該突部の側面が前記軸方向となす角度と、前記軸方向の他方側において前記先端部から前記基端部に向けて延びる側面が前記軸方向となす角度と、が相違するように、構成される、
コルゲートチューブ保持具であること。
［４］
上記［１］〜上記［３］の何れか一つに記載のコルゲートチューブ保持具において、
前記突部は、
前記コルゲートチューブの前記外周面の周方向における少なくとも一部に前記被押圧箇所が存在するように、構成される、
コルゲートチューブ保持具であること。
［５］
電線と、前記電線が挿通されるコルゲートチューブと、上記［１］〜上記［４］の何れか一つに記載のコルゲートチューブ保持具と、を備える、ワイヤハーネスであって、
前記コルゲートチューブ保持具が有する前記突部が前記コルゲートチューブの外周面における凹部に係合することにより、前記コルゲートチューブの軸方向における前記コルゲートチューブの移動が規制される、
ワイヤハーネスであること。
【０００９】
上記［１］の構成のコルゲートチューブ保持具によれば、コルゲートチューブの外周面の凹部の底面の一部（即ち、被押圧箇所）に、コルゲートチューブ保持具の突部の先端部が押し付けられることになる。一方、上述した従来の保持具では、凹部の底面の全体に、カバーリブの先端が押し付けられている。よって、従来の保持具に比べ、突部の先端が凹部の底面を押圧するときの圧力（単位面積あたりの押し付け力）を高められる。その結果、従来の保持具よりも小さな力で、コルゲートチューブの凹部を押し付け方向に変形させ得る。換言すると、コルゲートチューブとコルゲートチューブ保持具と組み付けに要する力が小さくなる。よって、本構成のコルゲートチューブ保持具は、従来の保持具に比べ、コルゲートチューブと保持具との組み付け作業の作業効率を向上可能である。
【００１０】
上記［２］の構成のコルゲートチューブ保持具にについて、発明者が行った実験および考察によれば、コルゲートチューブの軸方向に沿った断面において、凹部の底面の被押圧箇所の広さが底面の広さの２０％以上５０％以下となるように突部を構成する場合、上述した作業効率の向上と、コルゲートチューブの保持性能と、を両立できることが明らかになっている。
【００１１】
上記［３］の構成のコルゲートチューブ保持具について、突部が先細り形状を有するとともに、突部の一方側の側面と他方側の側面とがコルゲートチューブの軸方向となす角度が異なる。これにより、突部の一方側の側面と他方側の側面とがコルゲートチューブの軸方向となす角度が同じ場合に比べ、コルゲートチューブの軸方向における一方向きの抜け難さは下がるものの、他方向きの抜け難さを向上できる。よって、実際のコルゲートチューブの抜け方向を考慮しながら突部の一方側の側面および他方側の側面の傾きを調整することで、コルゲートチューブ抜けを更に確実に抑制できる。
【００１２】
上記［４］の構成のコルゲートチューブ保持具によれば、コルゲートチューブの外周面の周方向における少なくとも一部において、保持具の突部がコルゲートチューブの凹部の被押圧箇所を押圧する。即ち、必ずしも突部がコルゲートチューブの周方向における凹部の全体を押圧しなくてもよい。これにより、突部が周方向における凹部の全体を押圧する場合に比べ、上述した作業効率を向上できる。
【００１３】
上記［５］の構成のワイヤハーネスによれば、コルゲートチューブの外周面の凹部の底面の一部（即ち、被押圧箇所）に、コルゲートチューブ保持具の突部の先端部が押し付けられることになる。一方、上述した従来の保持具では、凹部の底面の全体に、カバーリブの先端が押し付けられている。よって、従来の保持具に比べ、突部の先端が凹部の底面を押圧するときの圧力（単位面積あたりの押し付け力）を高められる。その結果、従来の保持具よりも小さな力で、コルゲートチューブの凹部を押し付け方向に変形させ得る。換言すると、コルゲートチューブとコルゲートチューブ保持具と組み付けに要する力が小さくなる。よって、本構成のワイヤハーネスは、従来の保持具を用いる場合に比べ、コルゲートチューブと保持具との組み付け作業の作業効率を向上可能である。
【発明の効果】
【００１４】
本発明によれば、コルゲートチューブと保持具とを組み付ける作業の作業効率を向上可能なコルゲートチューブ保持具、及び、ワイヤハーネス、を提供できる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は、本発明の実施形態に係るカバーを含むコネクタの斜視図である。
【図２】図２は、図１に示すコネクタの分解斜視図である。
【図３】図３は、図２に示すカバーの開状態における斜視図である。
【図４】図４は、図１に示すコネクタの組み付け過程において、ハウジングにカバーを組み付ける際の様子を説明するための斜視図である。
【図５】図５は、図１に示すカバーの周囲を拡大した図１のＡ−Ａ断面図である。
【図６】図６は、図５に示すカバーの凸部の周囲を拡大した断面図である。
【図７】図７は、カバーをハウジングに組み付けた後にコルゲートチューブを組み付ける際の様子を示す斜視図である。
【発明を実施するための形態】
【００１７】
＜実施形態＞
以下、図面を参照しながら、本発明の実施形態に係るカバー１０（コルゲートチューブ保持具）を含むコネクタ１について説明する。以下、説明の便宜上、図１に示すように、「軸方向」、「幅方向」、「上下方向」、「前」、「後」、「上」及び「下」を定義する。「軸方向」、「幅方向」及び「上下方向」は、互いに直交している。軸方向は、端子３１（図２参照）のハウジング４０の端子収容室への挿入方向、及び、コネクタ１と相手側コネクタ（図示省略）との嵌合方向、と一致しており、相手側コネクタが嵌合する嵌合方向正面側（図１において右下側）が前側とされ、その反対の嵌合方向背面側（図１において左上側）が後側とされている。
【００１８】
図１及び図２に示すように、コネクタ１は、カバー１０と、コルゲートチューブ２０と、電線３０と、ハウジング４０と、リテーナ５０と、パッキン６０と、を備える。
【００１９】
カバー１０は、電線３０が挿通されたコルゲートチューブ２０の前端部を保持するためのコルゲートチューブ保持具であり、プロテクタとも呼ばれる。図１及び図２に示すように、本例では、電線３０が挿通されたコルゲートチューブ２０の前端部を保持するカバー１０が、コネクタ１のハウジング４０に組み付けられて使用される。
【００２０】
コルゲートチューブ２０は、挿通された電線３０を保護するための外装部材である。図１及び図２に示すように、コルゲートチューブ２０は、軸方向の全域に亘って軸方向に延びる１本のスリット（図示省略）が設けられた、可撓性を有する樹脂製の円筒状部材である。コルゲートチューブ２０は、軸方向に直交する断面において、正円形状を有する。図１、図２、図４及び図５に示すように、コルゲートチューブ２０の外周面には、径方向内側に窪む円環状の複数の凹部２１が、軸方向に沿って所定の間隔（ピッチ）を空けて並ぶように設けられている。軸方向に隣接する凹部２１の間には、径方向外側に突出する円環状の突部が形成されている。
【００２１】
電線３０は、図１及び図２に示すように、本例では、複数（２本）の電線の束として構成されている。電線３０は、１本のみで構成されていてもよい。電線３０の前端部には金属製の端子（本例では、メス端子）３１が設けられている。端子３１は、ハウジング４０の端子収容室（後述）に挿入されることになる。カバー１０と、コルゲートチューブ２０と、電線３０とにより、本発明の「ワイヤハーネス」が構成される。
【００２２】
以下、先ず、カバー１０の構成について説明する。図１〜図３に示すように、樹脂製のカバー１０は、カバー１０の上側部分を構成する上カバー１０ａと、カバー１０の下側部分を構成する下カバー１０ｂとを備える。上カバー１０ａと下カバー１０ｂとは、ヒンジ部１１を介して互いに相対的に回動可能に連結されている。カバー１０は、上カバー１０ａと下カバー１０ｂとを開くことで開状態（図３参照）となり、上カバー１０ａと下カバー１０ｂとを閉じることで閉状態（図２参照）となる。
【００２３】
図３及び図４に示すように、上カバー１０ａの幅方向両側には、係止部１２ａ，１３ａが設けられ、下カバー１０ｂの幅方向両側には、係止部１２ｂ，１３ｂが設けられている。カバー１０の閉状態では、係止部１２ａ，１３ａと係止部１２ｂ，１３ｂとがそれぞれ係合することで、カバー１０の閉状態が維持されるようになっている。
【００２４】
カバー１０の閉状態では、カバー１０の内部にて、軸方向に貫通する円柱状の電線挿通孔が構成される。図３に示すように、この電線挿通孔における後側の開口端面１４から所定距離だけ前側に進入した位置の内壁面には、上カバー１０ａ側及び下カバー１０ｂ側の双方において、径方向内側に進入するリブ１５が設けられている。
【００２５】
カバー１０の閉状態において、電線挿通孔におけるリブ１５と開口端面１４との間の部分は、コルゲートチューブ２０の前端部を保持するための収容空間１６（図３〜図５参照）として機能する。即ち、収容空間１６は、上カバー１０ａ及び下カバー１０ｂを軸方向に交差する所定の挟持方向（本例では、上下方向）に重ね合わせることで画成される。収容空間１６の内壁面には、上カバー１０ａ側にて、径方向内側に突出し周方向に延びる複数（本例では、３つ）の突条体１７ａが、軸方向に沿って所定の間隔（ピッチ）を空けて並ぶように設けられ、下カバー１０ｂ側にて、径方向内側に突出し周方向に延びる複数（本例では、３つ）の突条体１７ｂが、軸方向に沿って所定の間隔（ピッチ）を空けて並ぶように設けられている。カバー１０の閉状態（即ち、収容空間１６が画成された状態）にて、複数の突条体１７ａ及び複数の突条体１７ｂが、環状の複数（本例では、３つ）の突部１７を構成するようになっている。なお、突部１７の詳細な構成については後述される。
【００２６】
軸方向に隣接する環状の突部１７の間隔（ピッチ）は、コルゲートチューブ２０の軸方向に隣接する環状の凹部２１の間隔（ピッチ）と一致する。このため、カバー１０の閉状態における収容空間１６は、突部１７と凹部２１とが係合した状態で、コルゲートチューブ２０の前端部をカバー１０から抜けないように保持可能となっている（図５参照）。
【００２７】
図３に示すように、上カバー１０ａの前端部には、カバー１０をハウジング４０に組み付けるための一対の係止部１８が設けられている。以上、カバー１０の構成について説明した。
【００２８】
次いで、ハウジング４０の構成について説明する。図２に示すように、樹脂製のハウジング４０は、軸方向に延びる端子収容部４１と、端子収容部４１の上部に設けられたロック部４２と、を備える。
【００２９】
端子収容部４１の内部には、端子３１を収容するための軸方向に貫通する端子収容室（図示省略）が形成されている。端子収容室の前端開口４３は、相手側コネクタに設けられたオス端子（図示省略）が挿入される挿入口として機能する。相手側コネクタとの嵌合状態において、端子収容室内に収容された端子３１と、前端開口４３から挿入された相手側コネクタのオス端子とが接続することで、端子３１とオス端子とが電気的に接続される。
【００３０】
端子収容部４１の下部には、リテーナ５０をハウジングに組み付けるためのリテーナ収容部４４（図４も参照）が形成されており、リテーナ収容部４４にリテーナ５０が下方から組み付けられるようになっている。樹脂製のリテーナ５０は、端子収容室内の端子３１の半挿入の検知機能、及び、端子収容室内の正規挿入位置にある端子３１の抜け防止のための所謂２重係止機能を発揮する部材である。リテーナ５０は、周知の構成を有しているので、ここではその詳細な説明を省略する。
【００３１】
端子収容部４１の外周の所定位置には、ゴム製のパッキン６０が組み付けられるようになっている（図１及び図４参照）。所定位置に組み付けられたパッキン６０は、相手側コネクタとの嵌合状態において、外部からの水の進入を防止する防水機能を発揮するようになっている。
【００３２】
ハウジング４０の後端部には、上カバー１０ａ（即ち、カバー１０）を組み付けるための一対の係止部４５が設けられている。以上、ハウジング４０の構成について説明した。
【００３３】
次いで、図４を参照しながら、コネクタ１の組み付け手順について説明する。先ず、コルゲートチューブ２０が挿通された電線３０の端子３１がハウジング４０の端子収容室の正規挿入位置に収容され、リテーナ５０がハウジング４０のリテーナ収容部４４に組み付けられ、パッキン６０がハウジング４０の端子収容部４１の外周の所定位置に組み付けられた状態を実現する。各構成部材の組み付け順序は問わない。
【００３４】
次いで、ハウジング４０の一対の係止部４５に上カバー１０ａの一対の係止部１８をそれぞれ係合させることで、ハウジング４０の後側に、開状態にあるカバー１０を組み付ける。次いで、電線３０に挿通されているコルゲートチューブ２０の前端部を上カバー１０ａの収容空間１６の上方に配置し、コルゲートチューブ２０の複数の凹部２１が上カバー１０ａの複数の突条体１７ａにそれぞれ係合するように、コルゲートチューブ２０を上カバー１０ａの収容空間１６に載置する。
【００３５】
次いで、カバー１０を閉状態とするため、ヒンジ部１１を中心に下カバー１０ｂを上カバー１０ａに近づく方向に回動させる。カバー１０が閉状態の直前の状態になるまで回動が進行すると、カバー１０の突部１７がコルゲートチューブ２０の凹部２１の底面に接触する。このように突部１７が凹部２１の底面に接触した段階以降、回動を更に進行させると、突部１７が凹部２１の底面を押し付けることで凹部２１が弾性変形するようになる。即ち、この段階以降、回動を進行させるために、突部１７の凹部２１への押し付けに要する力が必要となる。
【００３６】
回動が更に進行して、カバー１０が閉状態になると、上カバー１０ａ側の係止部１２ａ，１３ａと下カバー１０ｂ側の係止部１２ｂ，１３ｂとがそれぞれ係合することで、カバー１０の閉状態が維持される。これにより、図１に示す組み付けが完了したコネクタ１が得られる。組み付けが完了したコネクタ１（即ち、カバー１０の閉状態）では、突部１７が凹部２１の底面を押し付けた状態が維持されており、突部１７と凹部２１との係合により、コルゲートチューブ２０の前端部がカバー１０の収容空間１６から抜けないように保持されている。
【００３７】
＜カバーにおける環状の突部の特徴、及び、作用・効果＞
次いで、図５及び図６を参照しながら、本発明の実施形態に係るカバー１０の環状の突部１７の構成の詳細について説明する。特に図６に示すように、突部１７は、軸方向における突部１７の基端部の幅Ｌ１よりも、軸方向における突部１７の先端面１７ｃの幅Ｌ２が小さい、先細り形状を有する。このため、突部１７の先端部は、コルゲートチューブ２０の凹部２１の底面の一部（以下、「被押圧箇所」と呼ぶ）に接触して被押圧箇所を押し付けている。
【００３８】
この結果、上述した従来の保持具のように、突条（リブ）がコルゲートチューブの凹部の全体に押し付けられる場合に比べ、突部１７の凹部２１への押し付けに要する力（即ち、コルゲートチューブ２０とカバー１０との組み付けに要する力）が小さくなる。よって、本実施形態に係るカバー１０は、従来の保持具に比べ、コルゲートチューブ２０とカバー１０とを組み付ける作業の作業効率を向上可能である。
【００３９】
ここで、発明者が行った実験および考察などによれば、軸方向に沿った断面において、被押圧箇所の幅Ｈ２が凹部２１の底面の幅Ｈ１の２０％以上５０％以下となるように突部１７を構成することで、コルゲートチューブ２０とカバー１０とを組み付ける作業の作業効率の向上と、カバー１０によるコルゲートチューブ２０の十分な保持力と、を両立できることが明らかになっている。
【００４０】
更に、突部１７は、軸方向の前側において先端面１７ｃから基端部に向けて延びる突部１７の側面１７ｄが軸方向となす角度αが、軸方向の後側において先端面１７ｃから基端部に向けて延びる側面１７ｅが軸方向となす角度βより大きくなるように、構成されている。
【００４１】
よって、突部１７の軸方向後側の側面１７ｅが軸方向となす角度βが小さくなり、突部１７の軸方向前側の側面１７ｄが軸方向となす角度αが大きくなる。角度βが小さいため、コルゲートチューブ２０がカバー１０の内部に更に進入する方向（前側）に押し込まれた場合において、凹部２１の変形を伴いながらコルゲートチューブ２０が軸方向前側に移動し易くなる。この結果、図７に示すように、カバー１０をハウジング４０に組み付けた後にコルゲートチューブ２０を組み付けることが可能となる。他方、角度αが大きいため、コルゲートチューブ２０が軸方向後側（即ち、カバー１０から抜ける方向）に移動することが、突部１７の軸方向前側の側面１７ｄで強固に抑制され得る。
【００４２】
なお、突部１７は、コルゲートチューブ２０の外周面の周方向における少なくとも一部において、コルゲートチューブ２０の凹部２１の底面の被押圧箇所を押圧していればよい。即ち、必ずしも突部１７がコルゲートチューブ２０の周方向における全体において凹部２１の底面の被押圧箇所を押圧しなくてもよい。突部１７は、コルゲートチューブ２０の外周面の周方向における少なくとも上端部及び下端部（即ち、上カバー１０ａ及び下カバー１０ｂによる挟持方向の両端部）において、コルゲートチューブ２０の凹部２１の底面の被押圧箇所を押圧することが好適である。
【００４３】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
上記実施形態では、突部１７は、軸方向の前側において先端面１７ｃから基端部に向けて延びる突部１７の側面１７ｄが軸方向となす角度αが、軸方向の後側において先端面１７ｃから基端部に向けて延びる側面１７ｅが軸方向となす角度βより大きくなるように、構成されている。これに対し、突部１７は、角度αが角度βより小さくなるように構成されていてもよい。更には、突部１７は、角度αが角度βと等しくなるように構成されていてもよい。
【００４５】
ここで、上述した本発明に係るカバー（コルゲートチューブ保持具）１０及びワイヤハーネスの実施形態の特徴をそれぞれ以下［１］〜［５］に簡潔に纏めて列記する。
［１］
コルゲートチューブ（２０）を保持するためのコルゲートチューブ保持具（１０）であって、
前記コルゲートチューブ（２０）の外周面における凹部（２１）に係合することによって前記コルゲートチューブ（２０）を保持する突部（１７）を備え、
前記突部（１７）は、
当該突部（１７）の先端部が前記凹部（２１）の底面の一部である被押圧箇所を押圧した状態にて、前記先端部が前記底面に接触するように、構成される、
コルゲートチューブ保持具（１０）。
［２］
上記［１］に記載のコルゲートチューブ保持具（１０）において、
前記突部（１７）は、
前記コルゲートチューブ（２０）の軸方向に沿った断面において、前記被押圧箇所の広さ（Ｈ２）が前記底面の広さ（Ｈ１）の２０％以上５０％以下となるように、構成される、
コルゲートチューブ保持具（１０）。
［３］
上記［１］又は上記［２］に記載のコルゲートチューブ保持具（１０）において、
前記突部（１７）は、
前記コルゲートチューブ（２０）の軸方向における当該突部（１７）の基端部の幅（Ｌ１）よりも、前記軸方向における前記先端部（１７ｃ）の幅（Ｌ２）が小さい、先細り形状を有するとともに、
前記軸方向の一方側において前記先端部（１７ｃ）から前記基端部に向けて延びる当該突部（１７）の側面（１７ｄ）が前記軸方向となす角度（α）と、前記軸方向の他方側において前記先端部（１７ｃ）から前記基端部に向けて延びる側面（１７ｅ）が前記軸方向となす角度（β）と、が相違するように、構成される、
コルゲートチューブ保持具（１０）。
［４］
上記［１］〜上記［３］の何れか一つに記載のコルゲートチューブ保持具（１０）において、
前記突部（１７）は、
前記コルゲートチューブ（２０）の前記外周面の周方向における少なくとも一部に前記被押圧箇所が存在するように、構成される、
コルゲートチューブ保持具（１０）。
［５］
電線（３０）と、前記電線（３０）が挿通されるコルゲートチューブ（２０）と、上記［１］〜上記［４］の何れか一つに記載のコルゲートチューブ保持具（１０）と、を備える、ワイヤハーネスであって、
前記コルゲートチューブ保持具（１０）が有する前記突部（１７）が前記コルゲートチューブ（２０）の外周面における凹部（２１）に係合することにより、前記コルゲートチューブ（２０）の軸方向における前記コルゲートチューブ（２０）の移動が規制される、
ワイヤハーネス。
【符号の説明】
【００４６】
１０    カバー（コルゲートチューブ保持具）
１７    突部
１７ｃ  先端面（先端部）
１７ｄ  側面
１７ｅ  側面
２０    コルゲートチューブ
２１    凹部
３０    電線
【図１】
2020087519.tif 000003
【図２】
2020087519.tif 000004
【図３】
2020087519.tif 000005
【図４】
2020087519.tif 000006
【図５】
2020087519.tif 000007
【図６】
2020087519.tif 000008
【図７】
2020087519.tif 000009